(57)【要約】【課題】プロジェクターに組み込まれている制御プログラムが対応している光源の規格とは異なる光源に交換された場合でも、交換された光源の規格に対応した動作制御を実行する。【解決手段】光源８５及び光源８５の規格に対応した制御データが記憶された記憶部８６を備えた光源装置８０と、制御データに基づき少なくとも光源装置８０に関する動作を制御する制御部１００と、を有することを特徴とする。【選択図】図１
2010266712.tif 000002
【特許請求の範囲】
【請求項１】
プロジェクターに用いる光源装置であって、
光源と前記光源の規格に対応した制御データが記憶された記憶手段とを備え、
前記記憶手段に記憶されている前記制御データに基づいて、前記プロジェクターが少なくとも前記光源装置に関する動作を制御することを特徴とする光源装置。
【請求項２】
前記記憶手段には、前記光源の規格に対応し、且つ前記プロジェクターの動作を制御する制御プログラムが更に記憶されており、
前記記憶手段に記憶されている制御プログラムが実行されることによって、前記プロジェクターの動作が制御されることを特徴とする請求項１に記載の光源装置。
【請求項３】
請求項１または２に記載の光源装置を、着脱自在に装着可能なプロジェクター。
【請求項４】
光源と前記光源の規格に対応した制御データが記憶された記憶手段とを備えた光源装置と、
前記制御データに基づき少なくとも前記光源装置に関する動作を制御する制御部と、を有することを特徴とするプロジェクター。
【請求項５】
前記記憶手段には、前記光源の規格に対応し、且つ前記プロジェクターの動作を制御する制御プログラムが更に記憶されており、
前記制御部は、前記記憶手段に記憶されている制御プログラムを実行することを特徴とする請求項４に記載のプロジェクター。
【請求項６】
光源と前記光源の規格に対応した制御データが記憶された記憶手段とを備えた光源装置を備えたプロジェクターの制御方法であって、
前記プロジェクターの電源がＯＮされたことを検出する検出ステップと、
前記電源がＯＮされたことを検出すると、前記制御データに基づき少なくとも前記光源装置に関する動作制御を実行する実行ステップと、を含むことを特徴とするプロジェクターの制御方法。
【請求項７】
前記記憶手段には、前記光源の規格に対応し、且つ前記プロジェクターの動作を制御する制御プログラムが更に記憶されており、
前記実行ステップにおいて、前記記憶手段に記憶されている制御プログラムを実行することを特徴とする請求項６に記載のプロジェクターの制御方法。
【請求項８】
光源の規格に対応した制御プログラムを搭載した光源装置が交換されたことを認識するステップと、
電源ＯＮされると、交換前の光源の規格と交換後の光源の規格とを比較するステップと、
前記光源の規格が不一致の場合に、前記プロジェクター動作を制御する制御プログラムを前記光源装置に搭載された制御プログラムに書き換えるステップと、を含むことを特徴とするプロジェクターの制御プログラム書き換え方法。
【発明の詳細な説明】
【技術分野】
【０００１】
本発明は、ユーザー自身が意識せずとも、プロジェクターに装着されている光源を、その光源の規格に対応した制御データにより制御することができる光源装置、プロジェクター、プロジェクターの制御方法及びプロジェクターの制御プログラム書き換え方法に関する。
【背景技術】
【０００２】
周辺機器や家電製品等の電子機器には、ハードウェアの基本的な制御を行なうためのファームウェア（制御プログラム）が組み込まれている。ファームウェアは、フラッシュメモリなどに記憶されており、電子機器の機能の追加や不具合を調整する際には、適宜書き換えることができるようになっている。
【０００３】
プロジェクターのファームウェアに不具合や、プロジェクターに機能アップや性能改善があったときに、ファームウェアをアップデートする必要が生じる。従来では、ファームウェアをアップデートするには、機器をサポートセンターに持ち込みアップデート作業を専門家に依頼する必要があった。また近年では、ファームウェアを保存したメモリーを専用のスロットに挿入して、ユーザーがアップデートすることも可能になってきている。
【０００４】
特許文献１には、投射装置に着脱可能に装着された光源装置にファームウェアを搭載し、ランプユニットを交換する際にバージョンの古いファームウェアをバージョンの新しいファームウェアに書き換える方法が記載されている。
すなわち、装置に対して着脱自在に装着され、光源ランプ、及び装置のプログラムを記憶した第１のメモリを備えた光源ランプユニットと、上記光源ランプからの光を用い、入力される画像信号に応じた光像を形成して出射する投影手段と、プログラムを記憶する第２のメモリと、第２のメモリに記憶したプログラムに従い、上記投影手段での画像投影を含む装置の動作を制御する制御手段と、上記第１及び第２のメモリに記憶される各プログラムのバージョン情報に基づき、上記第１のメモリに記憶されるプログラムを上記第２のメモリに転送して更新記憶させるプログラム更新手段と、を具備した投影装置が記載されている。
【先行技術文献】
【特許文献】
【０００５】
【特許文献１】特開２００８−２６２１２９号公報
【発明の概要】
【発明が解決しようとする課題】
【０００６】
ところで、プロジェクター等、内部の半導体部品や光源等の発熱部品の発熱による温度上昇が原因で動作が不安定になる機器では、冷却ファンなどによって機器内部を冷却することが必要である。通常、機器内部の温度管理に関する制御プログラムは、予め設定されたファームウェアとして組み込まれている。
【０００７】
また、プロジェクターの光源には寿命があるため、消耗すれば新しい光源と交換する必要がある。この光源の交換に際して、プロジェクター本体に予め組み込まれているファームウェアに対応していない光源に交換された場合は、機器内の温度管理が正常に行われなくなってしまう。
【０００８】
本発明は、上記課題を解決するためになされたものであって、プロジェクターに組み込まれている制御プログラムが対応している光源の規格とは異なる光源に交換された場合でも、交換後の光源の規格に対応した動作制御を実行することができる光源装置、プロジェクター、プロジェクターの制御方法及びプロジェクターの制御プログラム書き換え方法を提供することを目的とする。
【課題を解決するための手段】
【０００９】
上記課題を解決することのできる本発明は、プロジェクターに用いる光源装置であって、光源と前記光源の規格に対応した制御データが記憶された記憶手段とを備え、前記記憶手段に記憶されている前記制御データに基づいて、前記プロジェクターが少なくとも前記光源装置に関する動作を制御することを特徴とする。
上記構成によれば、光源装置が装着されるプロジェクターに、光源装置の記憶手段の制御データを読み出す機能を備えておけば、プロジェクターは、例えば寿命となった光源装置の交換時に、交換された新しい光源装置の記憶手段に記憶されている光源の規格に対応した制御データを読み込むことができる。このため、プロジェクター本体に予め搭載されている制御プログラムが交換後の光源の規格に対応していない場合でも、プロジェクターは新たに装着された光源の規格に対応した動作制御を実行することができる。
【００１０】
また本発明の光源装置において、前記記憶手段には、前記光源の規格に対応し、且つ前記プロジェクターの動作を制御する制御プログラムが更に記憶されており、
前記記憶手段に記憶されている制御プログラムが実行されることによって、前記プロジェクターの動作が制御される構成とすることを特徴とする。
上記構成によれば、光源装置が装着されるプロジェクターに、光源装置の記憶手段の制御プログラムを読み出して実行する機能を備えておけば、プロジェクターは、例えば寿命となった光源装置の交換時に、交換された新しい光源装置の記憶手段に記憶されている光源の規格に対応した制御プログラムを実行することができる。したがって、プロジェクター本体側に予め制御プログラムを搭載しない場合でも、光源装置に搭載された制御プログラムを実行することで交換後の光源の規格に対応した動作を実行することができる。
また、プロジェクターに制御プログラムを書き換える機能を備えておけば、プロジェクター本体側に予め搭載された制御プログラムを光源装置に搭載された制御プログラムに書き換えることもできる。これにより、プロジェクターは交換後の光源の規格に対応した動作を実行することができる。
【００１１】
また上記課題を解決することのできる本発明は、上記の光源装置を、着脱自在に装着可能なプロジェクターである。これによれば、光源装置がプロジェクターに対して着脱自在なので光源の交換を容易に行うことができる。また、他の規格の光源を搭載した光源装置への交換も行うことができる。
また本発明のプロジェクターは、光源と前記光源の規格に対応した制御データが記憶された記憶手段とを備えた光源装置と、前記制御データに基づき少なくとも前記光源装置に関する動作を制御する制御部と、を有することを特徴とする。
上記構成によれば、プロジェクター本体に予め搭載されている制御プログラムが、交換後の光源の規格に対応していない場合でも、プロジェクターは新たに装着された光源の規格に対応した動作制御を実行することができる。
【００１２】
また本発明のプロジェクターにおいて、前記記憶手段には、前記光源の規格に対応し、且つ前記プロジェクターの動作を制御する制御プログラムが更に記憶されており、
前記制御部は、前記記憶手段に記憶されている制御プログラムを実行する構成とすることを特徴とする。
上記構成によれば、交換した光源装置の記憶手段に記憶されている制御プログラムを実行するため、プロジェクター本体側に制御プログラムを記憶する記憶手段を装備することが不要になり、プロジェクター本体の構成を簡略化することができる。また、プロジェクターが規格の異なる複数種類の光源を装着可能であるが、光源装置自体に光源の規格に対応した制御プログラムが組み込まれているため、プロジェクター側の制御部は、複数種の制御プログラムの中から最適な制御プログラムを選択するといったプログラム選択処理などを必要とすることもない。
【００１３】
また上記課題を解決することのできる本発明は、光源と前記光源の規格に対応した制御データが記憶された記憶手段と備えた光源装置を備えたプロジェクターの制御方法であって、
前記プロジェクターの電源がＯＮされたことを検出する検出ステップと、前記電源がＯＮされたことを検出すると、前記制御データに基づき少なくとも前記光源装置に関する動作制御を実行する実行ステップと、を含むことを特徴とする。
上記構成によれば、例えば寿命となった光源装置を最新の光源装置に交換して電源をＯＮにすると、検出ステップにより電源ＯＮが検出され、次いで実行ステップが実施される。この実行ステップでは、プロジェクターは、交換した光源装置の記憶手段に記憶されている最新の制御データで光源装置に関する動作を制御する。このため、プロジェクター本体に予め搭載されている制御プログラムが、交換後の光源の規格に対応していない場合でも、プロジェクターは新たに装着された光源の規格に対応した動作制御を実行することができる。
【００１４】
また本発明のプロジェクターの制御方法において、前記記憶手段には、前記光源の規格に対応し、且つ前記プロジェクターの動作を制御する制御プログラムが更に記憶されており、前記実行ステップにおいて、前記記憶手段に記憶されている制御プログラムを実行することを特徴とする。
上記構成によれば、プロジェクター本体に、制御プログラムを記憶する記憶手段を装備することが不要になり、プロジェクター本体の構成を簡略化することができる。
【００１５】
また上記課題を解決することのできる本発明に係るプロジェクターの制御プログラム書き換え方法は、光源の規格に対応した制御プログラムを搭載した光源装置が交換されたことを認識するステップと、電源ＯＮされると、交換前の光源の規格と交換後の光源の規格とを比較するステップと、前記光源の規格が不一致の場合に、前記プロジェクター動作を制御する制御プログラムを前記光源装置に搭載された制御プログラムに書き換えるステップと、を含むことを特徴とする。
上記構成によれば、光源装置の交換後、交換前と交換後とで光源の規格が不一致の場合には、交換後の光源装置に搭載されている制御プログラムに書き換えられる。したがって、光源の規格の変更があっても、ユーザーが制御プログラムの更新等を行う必要がなく、ユーザーに負担をかけずに、光源の規格変更に対応した制御プログラムへの書き換えを行うことができる。
【図面の簡単な説明】
【００１６】
【図１】本発明に係るプロジェクターの実施形態の概略構成を示すブロック図である。
【図２】第２の実施形態におけるプロジェクターの制御プログラム書き換え方法を示すフローチャートである。
【発明を実施するための形態】
【００１７】
以下、本発明に係る光源装置、プロジェクター、プロジェクターの制御方法及びプロジェクターの制御プログラム書き換え方法の好適な実施の形態について、図面を参照して詳細に説明する。
【００１８】
（第１の実施形態）
図１に示すように、プロジェクター１は、ＰＣ、ＤＶＤプレーヤーなどの外部機器から映像信号や音声信号を入力する入力端子である入力部９、映像音声処理部１３、映像処理部１５、液晶パネル駆動部１７、音声処理部１９、音声出力部としてのスピーカー２１、ランプ駆動部２３、キー入力処理部２５、リモコン受光部２７、冷却制御部２９、温度検出部３１、冷却ファン３３、操作パネル３５、キー操作処理部３７および制御部１００を有している。
【００１９】
また、プロジェクター１の光学系７０は、光変調部としての液晶パネル７２、投写レンズ７３及び光源装置８０を有している。光源装置８０は、ランプ８及びリフレクターである凹面鏡８２からなる光源８５と、光源８５に対する電圧や電流の制御や光源８５に関連する冷却動作を制御するために必要な光源８５の規格に対応した制御データ（ランプ駆動部２３による電圧/電流制御や冷却制御部２９による冷却制御用のパラメーターなど）が記憶されている記憶部８６と、制御部１００と記憶部８６を接続するためのインターフェイス８７と、を有している。
【００２０】
これら光源８５、記憶部８６及びインターフェイス８７は不図示のランプハウジングによって固定/収納されており、光源装置８０単体でプロジェクター１から分離可能である。すなわち、光源８５には寿命があるため、消耗した場合は光源装置８０ごと新しい光源装置と交換することができる。
さらに、プロジェクター１の外装を構成する外装ケース９０には、吸気口９１が形成され、吸気口９１の近傍には、フィルター９２などが設置されている。
【００２１】
また、プロジェクター１は入出力端子として、ＲＳ−２３２Ｃコネクター４１、ＵＳＢコネクター４３、ＮＷ（Net Work）用のＲＪ４５コネクター４５を備えている。またインターフェイスとして、外部機器とのＲＳ−２３２Ｃ通信制御を行うＲＳ−２３２Ｃコントローラー４７、外部機器とのＵＳＢ通信制御を行なうＵＳＢコントローラー４９、及び外部ネットワークとの通信制御を行うＮＷコントローラー５１を備えている。
【００２２】
次に、上述したプロジェクター１を構成する各部の動作を説明する。
まず、映像音声処理部１３は、入力部９から入力される映像信号や、コントローラー４９，５１の少なくとも何れかより受信したデータのうち映像データをデコードして圧縮符号化前の映像データに変換し、これらをたとえばＲＧＢ信号に変換して順次映像処理部１５に出力する。また、音声データ部分についても同様にデコードを行い、Ｄ／Ａ変換により音声信号に変換し、順次音声処理部１９に出力する。
【００２３】
映像処理部１５は、映像音声処理部１３より受信したＲＧＢ信号に対してγ補正処理、台形補正処理、解像度変換処理などを行い、液晶パネル駆動部１７に出力する。
液晶パネル駆動部１７は、映像処理部１５から入力されるＲＧＢ信号に基づき液晶パネル駆動信号を出力し、光変調部としての液晶パネル７２に供給し駆動する。
【００２４】
音声処理部１９は、映像音声処理部１３より受信した音声信号を出力部としてのスピーカー２１に出力する。なお、音声処理部１９は、音量増幅部を有しており、音量の増幅を行ってスピーカー２１に出力する。これにより、スピーカー２１は、増幅されて入力するアナログ音声信号を出力する。
【００２５】
ＲＳ−２３２Ｃコントローラー４７は、例えばＲＳ−２３２Ｃコネクターを備えたＰＣ（図示せず）から入力されるリモート制御信号を入力し、コマンドに変換して制御部１００に出力する。
【００２６】
リモコン受光部２７は、例えば押ボタン式の操作キーを有するリモートコントローラー２００より、赤外線通信によってリモート制御信号を受信する。
キー入力処理部２５は、リモコン受光部２７が受信したリモート制御信号をデジタルコードデータに変換して制御部１００に出力する。
【００２７】
キー操作処理部３７は、例えば押ボタン式の操作キーを有する操作パネル３５より、操作キーが押下されたことを検知すると、押下された操作キーに対応するデジタルコードデータを制御部１００に出力する。
【００２８】
制御部１００はプロジェクター１の動作を統括制御する。制御部１００は、ＣＰＵ（Central Processing Unit）１０１と、書き換え可能な不揮発性のプログラムメモリー１０３と、ＣＰＵ１０１が直接アクセスすることができる主記憶部１０５と、を備えている。
プログラムメモリー１０３には、プロジェクター１の各種動作を制御するための制御プログラムが記憶されている。
【００２９】
また、制御部１００は、各コントローラー４９，５１から受信した受信データを解析し、コマンドとそれ以外のデータ（例えば、映像データや音声データ等）とを判別する。制御部１００は、受信したコマンドに応じて各構成部に制御信号を与える。その他の映像データや音声データは映像音声信号処理部１３へ送信される。
さらに制御部１００は、キー入力処理部２５及びキー操作処理部３７から入力されたデジタルコードデータに応じて制御信号を映像音声処理部１３、ランプ駆動部２３や冷却制御部２９などに出力する。
これにより、例えば、外部接続機器の切替え、投写条件の各種設定、ランプ８１の点灯・消灯、冷却ファン３３の回転数制御などの動作を実行させることができる。
【００３０】
次にプロジェクター１の光学系７０の構成および動作を説明する。
光学系７０は、詳細には、光源装置８０と、照明光学系と、光変調部と、色合成光学系と、投写部とを有して構成されている。
【００３１】
光源装置８０は、本実施形態では、放電式のランプ８１を用いており、発光管で発光した光束をリフレクター８２で反射させて平行光として、次の照明光学系に射出する。なお、ランプ８１は、制御部１００からの制御信号を受信したランプ駆動部２３により駆動される。また、本実施形態のランプ８１は、高圧水銀ランプを使用している。
【００３２】
照明光学系（図示省略）は、光源装置から射出された光束の照度を均一化し、各色光（赤色光、緑色光および青色光）に分離する。
【００３３】
光変調部は、本実施形態では、液晶パネル７２を用いており、照明光学系で分離された各色光の光束に対して画像情報に応じて変調して光学像を形成する。なお、液晶パネル７２は、前述した液晶パネル駆動部１７により駆動される。また、本実施形態の液晶パネル７２は、各色光に対応させて、３枚の液晶パネル７２を使用している。
【００３４】
色合成光学系（図示省略）は、照明光学系で色分離され光変調部（液晶パネル７２）で変調された各色光の光学像を合成する。
【００３５】
投写部は、本実施形態では、投写レンズ７３を用いており、各種レンズ群で構成され、色合成光学系で合成された光学像を投写する。上記光学系７０の構成および動作により、入力部９を介して入力された入力映像や、各コントローラー４９，５１を介して外部装置から受信した入力映像をプロジェクター１の外部に設置されるスクリーン５００に投写する。
【００３６】
次に、プロジェクター１の冷却構造および動作を説明する。
本実施形態のプロジェクター１は、光源装置としてのランプ８１の発熱に対して冷却ファン３３を用いて冷却している。以下に、ランプ８１の冷却構造および動作を説明する。
【００３７】
プロジェクター１は外装ケース９０により、外装が構成されている。また外装ケース９０には吸気口９１が形成され、外装ケース９０の内面側に吸気口９１を覆う形態で、フィルター９２が設置されている。また、ランプ８１とフィルター９２との間には、冷却ファン３３が設置される構成となっている。
【００３８】
このような構成において、冷却制御部２９からの駆動信号により冷却ファン３３が駆動を開始することにより、吸気口９１およびフィルター９２を介して、プロジェクター１の外部の外気をプロジェクター１の内部に吸気する。吸気された外気は、冷却ファン３３に導入され、冷却ファン３３の吐出口（図示省略）から吐出される。冷却ファン３３から吐出された外気は、ランプ８１に吹き付けられる。ランプ８１に外気が吹き付けられることにより、発熱しているランプ８１の熱を放熱させる。放熱されて温まった外気は、図示しない外装ケース９０に設置される排気口からプロジェクター１の外部に排気される。この一連の動作により、ランプ８１は冷却される。なお、フィルター９２は、外気を吸気した際に外気に含まれる粉塵などがプロジェクター１の内部に取り込まれることを防止している。
【００３９】
冷却制御部２９は、温度検出部３１で検出されるランプ８１の温度に対応して、冷却制御部２９内の制御情報保存部（図示省略）に保存されるランプ８１の検出温度に対する冷却ファン３３の駆動方法を示す制御用テーブルに基づいて、冷却ファン３３を駆動し冷却動作を制御している。
【００４０】
上述したようにプロジェクター１の各機能部は、プログラムメモリー１０３に記憶されている制御プログラムが実行され、入力部９を介して入力された入力映像、何れかのコントローラー４９，５１に接続されている外部装置から送られる動作制御コマンド、キー操作処理部３７やキー入力処理部２５が受信するデジタルコードに応じて機能する。
【００４１】
＜記憶部に記憶されている制御データに基づいて光源装置に関する動作制御を行う場合＞
次に、上述した光源装置８０が備える記憶部８６に記憶されている制御データに基づいて光源装置に関係する動作が実行される形態について説明する。
【００４２】
ここでは、プロジェクター１のプログラムメモリー１０３に記憶されている制御プログラムが、例えば５０００ルーメンの光源に対応したプログラムでるが、ユーザーが３０００ルーメンの光源８５を備えた光源装置８０に交換する場合について説明する。
【００４３】
ユーザーが３０００ルーメンの光源８５を備えた光源装置８０に交換後、プロジェクター本体の電源がＯＮされると、制御部１００は装着された光源装置８０の記憶部８６に記憶されている制御データをインターフェイス８７を介して取得する。ここでいう制御データは、３０００ルーメンの光源８５の動作制御に対応した駆動電圧値、駆動電流値、冷却ファン３３の回転数等のパラメーターである。
【００４４】
制御部１００は、光源装置８０の記憶部８６から取得した３０００ルーメン対応のパラメーターに基づいて、ランプ駆動部２３及び冷却制御部２９に制御指示を与え、光源装置８０及び冷却ファン３３の動作を制御する。
【００４５】
上記実施形態によれば、光源装置８０が装着されるプロジェクター１に、光源装置８０の記憶部８６の制御データを読み出す機能を備えておけば、プロジェクター１は、寿命となった光源装置の交換時に、交換された新しい光源装置８０の記憶手段に記憶されている光源の規格に対応した制御データを読み込むことができる。このため、プロジェクター１本体に予め搭載されている制御プログラムが交換後の光源の規格に対応していない場合でも、プロジェクター１は新たに装着された光源８５の規格に対応した動作制御を実行することができる。
【００４６】
（第２の実施形態）
第１の実施形態では、光源装置８０の記憶部８６には制御データが記憶されている形態を説明したが、第２の実施形態では、記憶部８６に制御データの他にプロジェクター１の制御プログラムが記憶されている形態を説明する。すなわち、交換後の光源８５の規格に対応した制御プログラムに書き換える方法である。
なお、以下では第１の実施形態において示した構成と異なる部分についてのみ説明する。
【００４７】
＜制御プログラムを書き換えて動作制御を行う場合＞
本実施形態では、光源装置８０の記憶部８６に、光源８５の規格に対応した制御プログラムが記憶されている。制御プログラムは、光源装置８０に関係する動作制御に関する部分的なプログラム（ファームウェアの一部）でも、プロジェクター１の全体的な動作制御に関する制御プログラム（ファームウェアの全部）でもよい。
【００４８】
本実施形態のプロジェクター１の制御部１００は、本体内のプログラムメモリー１０３に記憶されている制御プログラムを、光源装置８０の記憶部８６に記憶されている制御プログラムに書き換える機能を有している。
図２に示すように、ユーザーが３０００ルーメンの光源を備えた光源装置８０に交換後（ステップＳ１１）、プロジェクター本体の電源がＯＮされると（ステップＳ１３：Ｙｅｓ）、制御部１００は、交換前の光源の規格と交換後の光源８５の規格とが一致するか否かを比較する（ステップＳ１５）。光源の規格としては、光源装置の型番やメーカーを特定する情報等がある。
【００４９】
ステップＳ１５において、交換前の光源の規格と交換後の光源８５の規格とが一致していると判定された場合には（ステップＳ１５：一致）、制御部１００は、プログラムメモリー１０３に予め格納されている制御プログラムに基づいて、通常起動する。
一方、交換前の光源の規格と交換後の光源８５の規格とが一致していないと判定された場合には（ステップＳ１５：不一致）、制御部１００は、プログラムメモリー１０３に格納されている制御プログラムを、交換後の光源装置８５の記憶部８６に搭載されている制御プログラムに書き換える（ステップＳ１７）。
【００５０】
書き換え処理が終了すると、書き換え処理が成功したか否かが判定され、書き換え処理が成功した場合には（ステップＳ１９：Ｙｅｓ）、電源をＯＦＦされて、書き換え後の制御プログラムで起動するために再起動（リブート）される（ステップＳ２１）。一方、書き換えに失敗した場合には、プロジェクターの表示部にエラー表示を行う（ステップＳ２３）。
【００５１】
上記実施形態によれば、プロジェクター１本体に予め搭載されている制御プログラムが、交換後の光源８５の規格に対応していない場合でも、光源８５に搭載された記憶部８６に記憶されている制御プログラムに書き換えることができるため、プロジェクター１は新たに装着された光源の規格に対応した動作制御を実行することができる。
【００５２】
（第３の実施形態）
＜制御プログラムを書き換えずに光源装置から読み出して実行する場合＞
第１及び第２の実施形態では、プロジェクター本体側のプログラムメモリーに制御プログラムが予め搭載されていたが、本実施形態は、プロジェクター本体に制御プログラム自体を搭載しない形態である。
光源装置８０の記憶部８６には、プロジェクター１の動作を制御する制御プログラムが記憶されており、プロジェクター１の制御部１００は、記憶部８６からインターフェイス８７を介して制御プログラムを読み出して実行する方法である。
【００５３】
この場合、プロジェクター１側に制御プログラムを記憶する記憶部手段を装備することが不要になり、プロジェクター１本体の構成を簡略化することができる。
光源装置８０自体に光源８５の規格に対応した制御プログラムが組み込まれているため、プロジェクター１の制御部１００は、複数種類の制御プログラムの中から最適な制御プログラムを選択するといったプログラム選択処理などの必要がない。
【００５４】
なお、上述した各実施形態において説明した光源装置は、光源として高圧水銀ランプを採用したが、LED（Light Emitting Diode）を光源とした光源装置にも適用できる。
また、上述した各実施形態では、光源からの光を光変調部である液晶パネルによって変調し投影する液晶ライトバルブ方式のプロジェクターを例示したが、本発明はその他の方式を採用するプロジェクターにも適用することもできる。具体的には、DMD（Digital Micromirror Device）を用いた投写方式があり、所謂、DLP（Digital Light Processing）（登録商標）方式である。すなわち、DLP方式は白色に光るランプの光をレンズで集光してDMDに当て、DMDの個々のミラーがオン状態に傾いているときの光を他のレンズで拡大し、スクリーンに投影する方式であり、本発明はこのような方式のプロジェクターにも適用することができる。
【符号の説明】
【００５５】
１：プロジェクター、１３：映像音声処理部、１５：映像処理部、１７：液晶パネル駆動部、１９：音声処理部、２１：スピーカー、２３：ランプ駆動部、３５：キー入力処理部、２７：リモコン受光部、２９：冷却制御部、３１：温度検出部、３３：冷却ファン、３５：操作パネル、３７：キー操作処理部、７０：光学系、７２：液晶パネル、７３：投写レンズ、８０：光源装置、８１：ランプ、８２：リフレクター、８５：光源、８６：記憶部、８７：インターフェイス（Ｉ／Ｆ）、９０：外装ケース、９１：吸気口、９２：フィルター、１００：制御部、１０１：ＣＰＵ、１０３：プログラムメモリー、１０５：主記憶部、２００：リモートコントローラー、５００：スクリーン。
【図１】
2010266712.tif 000003
【図２】
2010266712.tif 000004